(57)【特許請求の範囲】
【請求項１】
上面と、側面と、該上面と該側面とを繋ぐ領域に形成され該上面と該側面との双方に対し傾斜した斜面とを有する枠と、
前記斜面に取り付けられた取付体と、
前記上面の少なくとも一部を覆う第１の覆い部材とを有し、
前記斜面が、斜めに配設されて前記枠の内外を仕切る板状部分の表面であり、該板状部分が、該斜面から、前記枠の内側を向いた内面にまで貫通した貫通孔を有するものであって、
前記取付体が、
前記斜面との間に隙間を空けて該斜面に対向し該斜面に沿って広がる対向部と、
前記対向部から前記貫通孔に向かって突き出して該貫通孔を貫通しさらに前記板状部分の傾斜を登る方向に折れ曲って延びた折れ曲り部であって、前記内面に対面した対面部分で前記対向部の前記斜面からの離間を規制する折れ曲り部と、
前記対向部から突き出して前記側面に接し、固定用部品によって該側面に固定された固定部と、
前記対向部から突き出して、前記斜面に沿う傾斜方向に測ったときに、前記第１の覆い部材の前記斜面側の該第１の覆い部材から前記取付体に向かって突出している突出部との間に、前記対面部分の該傾斜方向の長さ以上に開いた間隔をもって該突出部の上に広がり、該突出部と共同して、該斜面と該対向部との隙間を隠蔽する隠蔽部とを有することを特徴とする機器。
【請求項２】
前記側面の少なくとも一部を覆う第２の覆い部材を有し、
前記取付体が、前記対向部の前記側面寄りであって前記固定部よりも該側面から離れた位置に前記第２の覆い部材の上端を支持する支持部を有し、
前記第２の覆い部材が、前記支持部に支持されて前記固定部と前記側面の一部とを覆う部材であることを特徴とする請求項１記載の機器。
【請求項３】
前記取付体が、前記折れ曲り部の、前記貫通孔に向かって突き出した部分の両脇から、前記傾斜方向と交わる方向に延びる壁をさらに有することを特徴とする請求項１又は２記載の機器。
【請求項４】
前記取付体が、前記折れ曲り部から前記固定部に至る途中に設けられ前記対向部から前記斜面に向かって突き出して該斜面に対面した突出体をさらに有することを特徴とする請求項１から３のうちのいずれか１項記載の機器。
【請求項５】
前記取付体が、前記折れ曲り部の、前記貫通孔に向かって突き出した部分の両脇から、前記傾斜方向と交わる方向に延びる、前記斜面と前記突出体との対面距離よりも狭い対面距離で該斜面に対面した壁をさらに有することを特徴とする請求項４記載の機器。
【請求項６】
前記取付体が、前記対向部から突き出し前記傾斜方向に延びて前記斜面を両脇から挟み込む一対の挟込体をさらに有することを特徴とする請求項１から５のうちのいずれか１項記載の機器。
【請求項７】
記録媒体に画像を形成する画像形成部と、
記録媒体が置かれる媒体置部と、
前記画像形成部で画像が形成された記録媒体を、前記媒体置部まで排出する排出部と、
上面と、側面と、該上面と該側面とを繋ぐ領域に形成され該上面と該側面との双方に対し傾斜した斜面とを有する、前記排出部を内側に収めた枠と、
前記斜面に取り付けられた取付体と、
前記上面の少なくとも一部を覆う第１の覆い部材とを有し、
前記斜面が、斜めに配設されて前記枠の内外を仕切る板状部分の表面であり、該板状部分が、該斜面から、前記枠の内側を向いた内面にまで貫通した貫通孔を有するものであって、
前記取付体が、
前記斜面との間に隙間を空けて該斜面に対向し該斜面に沿って広がる対向部と、
前記対向部から前記貫通孔に向かって突き出して該貫通孔を貫通しさらに前記板状部分の傾斜を登る方向に折れ曲って延びた折れ曲り部であって、前記内面に対面した対面部分で前記対向部の前記斜面からの離間を規制する折れ曲り部と、
前記対向部から突き出して前記側面に接し、固定用部品によって該側面に固定された固定部と、
前記対向部から突き出して、前記斜面に沿う傾斜方向に測ったときに、前記第１の覆い部材の前記斜面側の該第１の覆い部材から前記取付体に向かって突出している突出部との間に、前記対面部分の該傾斜方向の長さ以上に開いた間隔をもって該突出部の上に広がり、該突出部と共同して、該斜面と該対向部との隙間を隠蔽する隠蔽部とを有することを特徴とする画像形成装置。
【請求項８】
上面と、側面と、該上面と該側面とを繋ぐ領域に形成され該上面と該側面との双方に対し傾斜した斜面とを有する枠であって、該斜面が、斜めに配設されて該枠の内外を仕切る板状部分の表面であり、該板状部分が、該斜面から、該枠の内側を向いた内面にまで貫通した貫通孔を有するものである枠に、該上面の少なくとも一部を覆う第１の覆い部材を取り付ける第１の覆い部材取付工程と、
前記斜面に取り付けられる取付体であって、該斜面との間に隙間を空けて該斜面に対向し該斜面に沿って広がる対向部と、該対向部から前記貫通孔に向かって突き出して該貫通孔を貫通しさらに前記板状部分の傾斜を登る方向に折れ曲って延びた折れ曲り部であって、前記内面に対面した対面部分で該対向部の該斜面からの離間を規制する折れ曲り部と、該対向部から突き出して前記側面に接し、固定用部品によって該側面に固定される固定部と、前記対向部から突き出して、前記斜面に沿う傾斜方向に測ったときに、前記第１の覆い部材の前記斜面側の該第１の覆い部材から前記取付体に向かって突出している突出部との間に、前記対面部分の該傾斜方向の長さ以上に開いた間隔をもって該突出部の上に広がり、該突出部と共同して、該斜面と該対向部との隙間を隠蔽する隠蔽部と、前記対向部の前記側面寄りであって前記固定部よりも該側面から離れた位置に、前記側面の少なくとも一部を覆う第２の覆い部材の上端を支持する支持部とを有する取付体の該折れ曲り部を該貫通孔に差し込んで該取付体を、該斜面を登る方向に移動させて該取付体を該斜面に配置する取付体配置工程と、
前記固定部を前記側面に前記固定用部品で固定する取付体固定工程と、
前記第２の覆い部材を前記支持部に支持させて該第２の覆い部材で前記固定部と前記側面の少なくとも一部とを覆う第２の覆い部材支持工程とを有することを特徴とする機器組立方法。
【発明の詳細な説明】
【技術分野】
【０００１】
本発明は、機器、画像形成装置、および機器組立方法に関する。
【背景技術】
【０００２】
特許文献１には、上面の前後左右４ヶ所に接続コネクタを設け、各接続コネクタの寸法およびその間隔等を４ヶ所とも同一の構成とすることで、操作パネルを上面の前後左右の使い易い任意の位置に接続可能にした複写機が開示されている。
【先行技術文献】
【特許文献】
【０００３】
【特許文献１】特開平０７−０９５３３２号公報
【発明の概要】
【発明が解決しようとする課題】
【０００４】
本発明は、斜面に取付体を容易に取り付けることと、取付体と斜面との間を確実に隠すこととを両立した機器、画像形成装置、および機器組立方法を提供することを目的とする。
【課題を解決するための手段】
【０００５】
請求項１に係る機器は、
上面と、側面と、この上面とこの側面とを繋ぐ領域に形成されこの上面とこの側面との双方に対し傾斜した斜面とを有する枠と、
上記斜面に取り付けられた取付体と、
上記上面の少なくとも一部を覆う第１の覆い部材とを有し、
上記斜面が、斜めに配設されて上記枠の内外を仕切る板状部分の表面であり、この板状部分が、この斜面から、上記枠の内側を向いた内面にまで貫通した貫通孔を有するものであって、
上記取付体が、
上記斜面との間に隙間を空けてこの斜面に対向しこの斜面に沿って広がる対向部と、
上記対向部から上記貫通孔に向かって突き出してこの貫通孔を貫通しさらに上記板状部分の傾斜を登る方向に折れ曲って延びた折れ曲り部であって、上記内面に対面した対面部分で上記対向部の上記斜面からの離間を規制する折れ曲り部と、
上記対向部から突き出して上記側面に接し、固定用部品によってこの側面に固定された固定部と、
上記対向部から突き出して、上記斜面に沿う傾斜方向に測ったときに、上記第１の覆い部材の上記斜面側の端部との間に、上記表面部分のこの傾斜方向の長さ以上に開いた間隔をもってこの端部の上に広がり、この端部と共同して、この斜面とこの対向部との隙間を隠蔽する隠蔽部とを有することを特徴とする。
【０００６】
請求項２に係る機器は、
上記側面の少なくとも一部を覆う第２の覆い部材を有し、
上記取付体が、上記対向部の上記側面寄りであって上記固定部よりもこの側面から離れた位置に上記第２の覆い部材の上端を支持する支持部を有し、
上記第２の覆い部材が、上記支持部に支持されて上記固定部と上記側面の一部とを覆う部材であることを特徴とする。
【０００７】
請求項３に係る機器は、
上記取付体が、上記折れ曲り部の、上記貫通孔に向かって突き出した部分の両脇から、上記傾斜方向と交わる方向に延びる壁をさらに有することを特徴とする。
【０００８】
請求項４に係る機器は、
上記取付体が、上記折れ曲り部から上記固定部に至る途中に設けられ上記対向部から上記斜面に向かって突き出してこの斜面に対面した突出体をさらに有することを特徴とする。
【０００９】
請求項５に係る機器は、請求項４にかかる機器において、
上記取付体が、上記折れ曲り部の、上記貫通孔に向かって突き出した部分の両脇から、上記傾斜方向と交わる方向に延びる、上記斜面と上記突出体との対面距離よりも狭い対面距離でこの斜面に対面した壁をさらに有することを特徴とする。
【００１０】
請求項６に係る機器は、
上記取付体が、上記対向部から突き出し上記傾斜方向に延びて上記斜面を両脇から挟み込む一対の挟込体をさらに有することを特徴とする。
【００１１】
請求項７に係る画像形成装置は、
記録媒体に画像を形成する画像形成部と、
記録媒体が置かれる媒体置部と、
上記画像形成部で画像が形成された記録媒体を、上記媒体置部まで排出する排出部と、
上面と、側面と、この上面とこの側面とを繋ぐ領域に形成されこの上面とこの側面との双方に対し傾斜した斜面とを有する、上記排出部を内側に収めた枠と、
上記斜面に取り付けられた取付体と、
上記上面の少なくとも一部を覆う第１の覆い部材とを有し、
上記斜面が、斜めに配設されて上記枠の内外を仕切る板状部分の表面であり、この板状部分が、この斜面から、上記枠の内側を向いた内面にまで貫通した貫通孔を有するものであって、
上記取付体が、
上記斜面との間に隙間を空けてこの斜面に対向しこの斜面に沿って広がる対向部と、
上記対向部から上記貫通孔に向かって突き出してこの貫通孔を貫通しさらに上記板状部分の傾斜を登る方向に折れ曲って延びた折れ曲り部であって、上記内面に対面した対面部分で上記対向部の上記斜面からの離間を規制する折れ曲り部と、
上記対向部から突き出して上記側面に接し、固定用部品によってこの側面に固定された固定部と、
上記対向部から突き出して、上記斜面に沿う傾斜方向に測ったときに、上記第１の覆い部材の上記斜面側の端部との間に、上記折れ曲り部の上記対面した表面部分のこの傾斜方向の長さ以上に開いた間隔をもってこの端部の上に広がり、この端部と共同して、この斜面とこの対向部との隙間を隠蔽する隠蔽部とを有することを特徴とする。
【００１２】
請求項８に係る機器組立方法は、
上面と、側面と、この上面とこの側面とを繋ぐ領域に形成されこの上面とこの側面との双方に対し傾斜した斜面とを有する枠であって、この斜面が、斜めに配設されてこの枠の内外を仕切る板状部分の表面であり、この板状部分が、この斜面から、この枠の内側を向いた内面にまで貫通した貫通孔を有するものである枠に、この上面の少なくとも一部を覆う第１の覆い部材を取り付ける第１の覆い部材取付工程と、
上記斜面に取り付けられる取付体であって、この斜面との間に隙間を空けてこの斜面に対向しこの斜面に沿って広がる対向部と、この対向部から上記貫通孔に向かって突き出してこの貫通孔を貫通しさらに上記板状部分の傾斜を登る方向に折れ曲って延びた折れ曲り部であって、上記内面に対面した対面部分でこの対向部のこの斜面からの離間を規制する折れ曲り部と、この対向部から突き出して上記側面に接し、固定用部品によってこの側面に固定される固定部と、この対向部から突き出して、この斜面に沿う傾斜方向に測ったときに、上記第１の覆い部材のこの斜面側の端部との間に、この折れ曲り部のこの対面した表面部分のこの傾斜方向の長さ以上に開いた間隔をもってこの端部の上に広がり、この端部と共同して、この斜面とこの対向部との隙間を隠蔽する隠蔽部と、上記対向部の上記側面寄りであって上記固定部よりもこの側面から離れた位置に、上記側面の少なくとも一部を覆う第２の覆い部材の上端を支持する支持部とを有する取付体のこの折れ曲り部をこの貫通孔に差し込んでこの取付体を、この斜面を登る方向に移動させてこの取付体をその斜面に配置する取付体配置工程と、
上記固定部を上記側面に上記固定用部品で固定する取付体固定工程と、
上記第２の覆い部材を上記支持部に支持させてこの第２の覆い部材で上記固定部と上記側面の少なくとも一部とを覆う第２の覆い部材支持工程とを有することを特徴とする。
【発明の効果】
【００１３】
請求項１に係る機器によれば、斜面に取付体を容易に取り付けることと、取付体と斜面との間を確実に隠すこととが両立する。
【００１４】
請求項２に係る機器によれば、側面に第２の覆い部材を容易に固定することと、側面に固定された固定部の固定部分を確実に隠すこととが両立する。
【００１５】
請求項３に係る機器によれば、貫通孔への異物の落下を防ぐことができる。
【００１６】
請求項４に係る機器によれば、斜面に向かう向きの圧力が取付体に加わった場合の取付体の撓みを規制できる。
【００１７】
請求項５に係る機器によれば、斜面に対し取付体が接離する方向のガタを規制し、貫通孔への異物の落下を防ぐことができる。
【００１８】
請求項６に係る機器によれば、両脇方向から取付体に加わる力に対抗することができる。
【００１９】
請求項７に係る画像形成装置によれば、斜面に取付体を容易に取り付けることと、取付体と斜面との間を確実に隠すこととが両立する。
【００２０】
請求項８に係る機器組立方法によれば、取付体と斜面との間を確実に隠すとともに容易に機器を組み立てることができる。
【図面の簡単な説明】
【００２１】
【図１】プリンタの外観斜視図である。
【図２】プリンタの断面図である。
【図３】プリンタを、図１とは別の角度から示した外観斜視図である。
【図４】プリンタの、図２とは異なる方向の断面図である。
【図５】操作表示装置を構成する操作表示部と取付部材を分解して傾斜板部とともに示した分解斜視図である。
【図６】取付部材の外観斜視図である。
【図７】傾斜板部を上に配置された状態の取付部材を示す図である。
【図８】図４の部分拡大図である。
【図９】筐体に対する、第１カバー、取付部材、および第２カバーの取付順序を示す図である。
【発明を実施するための形態】
【００２２】
以下、本発明の実施形態について説明する。
【００２３】
図１は、プリンタの外観斜視図である。
【００２４】
図１には、プリンタ１の斜め上方からの外観が示されている。
【００２５】
プリンタ１は、記録媒体上に白黒画像の形成を行なうモノクロプリンタである。このプリンタ１は、筐体２および操作表示装置３を備えている。このプリンタ１の筐体２の内部では、後述するようにして記録媒体上に画像が形成される。このプリンタ１が、本発明の画像形成装置および本発明の機器に共通の一実施形態である。
【００２６】
この筐体２は、フレームとカバーとを有している。
【００２７】
フレームは、筐体２の骨組みであって、本発明にいう枠の一例に相当するが、カバーに覆われていて図１には示されていない。また、カバーは、そのフレームに直接的または間接的に支持されて、このプリンタ１の外観を成す部材である。
【００２８】
図１に示されているプリンタ１の外観は、操作表示装置３を除き、そのほとんどが筐体２を構成するカバーで占められている。ここでは、特に注目すべき構成部分を解りやすく表現するために、第１カバー２１と第２カバー２２に斜線を付して示している。
【００２９】
第１カバー２１および第２カバー２２は、それら第１カバー２１および第２カバー２２のすぐ内側にあるフレームの表面を覆うカバーである。また、第１カバー２１は、フレームの上部を覆い、第２カバー２２は、フレームの側部を覆っている。本実施形態における第１カバー２１および第２カバー２２が、本発明にいう、それぞれ第１の覆い部材および第２の覆い部材の各一例に相当する。
【００３０】
また、このプリンタ１は、筐体２の箱状部分の上面に媒体置きカバー２０を備えている。この媒体置きカバー２０も、このプリンタ１の筐体２を構成するカバーの一部である。筐体２の内部には記録媒体上に画像を形成する画像形成部が備えられており、その画像形成部で画像が形成された記録媒体は、この筐体２から排出されて媒体置きカバー２０に置かれる。この媒体置きカバー２０が、本発明にいう媒体置部の一例に相当する。
【００３１】
また、このプリンタ１は、下部点検蓋２４および上部点検蓋２３を有している。これら下部点検蓋２４および上部点検蓋２３も、このプリンタ１の筐体２を構成するカバーの一部である。これら下部点検蓋２４および上部点検蓋２３は、筐体２の内部を進んできた記録媒体が詰まったときや筐体２の内部の部品交換を行うときに開閉される蓋である。
【００３２】
操作表示装置３は、操作表示部３０および取付部材３１を有している。
【００３３】
操作表示部３０は、タッチパネル３０１と表示画面３０２とを有している。タッチパネル３０１は操作者の操作を受け、表示画面３０２にはプリントに関する情報が表示される。
【００３４】
取付部材３１は、操作表示部３０と、ここには図示しない、フレームの一部を構成する傾斜板部２００（図５参照）との間に配置され、操作表示部３０をフレームに固定する役割を成している。すなわち、この取付部材３１は、フレームの傾斜板部２００（図５参照）に取り付けられて操作表示部３０を保持する。操作表示部３０と取付部材３１とを合わせた操作表示装置３が、本発明にいう取付体の一例に相当する。
【００３５】
図２は、プリンタの断面図である。
【００３６】
図２には、図１に示される点線に沿った断面を矢印Ｘ方向に見た状態が示されている。
【００３７】
このプリンタ１の筐体２は、媒体置きカバー２０の下に広がる基部２ａと、基部２ａ上に媒体置きカバー２０の横から立ち上がっている立ち上がり部２ｂとを有する。
【００３８】
また、この図２には、筐体２の、基部２ａと立ち上がり部２ｂとに跨って収容された画像形成部４が示されている。この画像形成部４が、本発明にいう画像形成部の一例に相当する。
【００３９】
この画像形成部４は、筐体２の基部２ａの底に媒体カセット４５を備えている。この媒体カセット４５には、記録媒体が積み重ねられて収容されている。この画像形成部４では、この媒体カセット４５から記録媒体を１枚ずつ引き出し、図２における下方から上方に向けてこの記録媒体を搬送経路Ｌに沿って搬送する。また、この画像形成部４では、この搬送途中において、後述するようにして形成したトナー像を記録媒体に転写し、さらに、加熱および加圧して、トナー像を記録媒体の表面に定着させる。筐体２には、立ち上がり部２ｂの媒体置きカバー２０側に排出口２０ｂが設けられている。トナー像が定着された記録媒体は、この排出口２０ｂを通じて媒体置きカバー２０の上に排出される。この排出口２０ｂが、本発明にいう排出口の一例に相当する。
【００４０】
ここで、画像形成部４では、トナー像の形成、トナー像の転写、および、トナー像の定着が以下に説明するようにして行われる。
【００４１】
媒体カセット４５の上方には感光体ロール４１が備えられている。この感光体ロール４１は、矢印Ａ方向に回転する、紙面に垂直な方向に延びたロールである。この感光体ロール４１の右横には、帯電ロール４２が備えられている。この帯電ロール４２は、この感光体ロール４１に接触して矢印Ｂ方向に従動回転し、感光体ロール４１の表面に電荷を付与する。帯電ロール４２の右側には、露光器４３が備えられている。また、露光器４３の右側には、画像データ処理部４０が備えられている。画像データ処理部４０は、外部から送信されてきた画像データを受信して処理し、処理した画像データを露光器４３に送信する。露光器４３は、画像データ処理部４０から送信されてきた画像データに応じて感光体ロール４１の表面を露光する。これにより、感光体ロール４１の表面には、静電潜像が形成される。感光体ロール４１と媒体カセット４５との間には、現像器４４が備えられている。現像器４４は、感光体ロール４１に近接した位置に現像ロール４４１を備え、帯電トナーを収容している。現像ロール４４１は、帯電したトナーを表面に保持して矢印Ｃ方向に回転する。現像ロール４４１には電圧が印加されており、感光体ロール４１の表面に形成されている静電潜像と現像ロール４４１との間には電界が発生する。このため、現像ロール４４１が、帯電したトナーを保持しながら矢印Ｃ方向に回転することで、帯電トナーが静電潜像側に移行し、静電潜像がトナーで現像される。感光体ロール４１の左側には、搬送経路Ｌを挟んで、転写ロール４６が備えられている。転写ロール４６は、搬送経路Ｌを進んできた記録媒体を、トナー像を表面に保持した感光体ロール４１との間に挟み込みながら矢印Ｄ方向に回転する。また、転写ロール４６には、帯電トナーの極性とは逆極性の電位が付与されており、感光体ロール４１と記録媒体との間には電界が発生する。このため、感光体ロール４１が保持するトナー像が記録媒体上に転写される。転写ロール４６の上方には、定着器４７が備えられている。定着器４７は、加圧ロール４７１および加熱ロール４７２を有している。加圧ロール４７１および加熱ロール４７２は、トナー像が転写され搬送経路Ｌに沿ってさらに搬送されてきた記録媒体を挟みながら回転して、その記録媒体を加熱し、加圧する。これにより、記録媒体上に転写されたトナー像は、溶融されると共に記録媒体に押し付けられて記録媒体上に定着され、トナー像が定着された記録媒体がさらに上方に搬送される。
【００４２】
また、プリンタ１は、立ち上がり部２ｂの内部に媒体排出部５を備えている。
【００４３】
媒体排出部５は、１対の搬送ローラ５１および１対の排出ローラ５２を備えている。この１対の搬送ローラ５１は、定着装置４７を経由してきた記録媒体を間に挟みながら回転して、その記録媒体を排出ローラ５２に向けて搬送する。また、１対の排出ローラ５２は、搬送ローラ５１により搬送されてきた記録媒体を間に挟みながら回転して、その記録媒体を排出口２０ｂを通じて媒体置きカバー２０の上へ排出する。この排出ローラ５２が、本発明にいうローラの一例に相当する。
【００４４】
尚、図２には、図１にも示す第１カバー２１と、この第１カバー２１のすぐ内側にある上部フレーム２０１が示されている。この上部フレーム２０１は、上述したフレームの一部分である。第１カバー２１は、上部フレーム２０１の上面を覆っている。この上部フレーム２０１の上面が、本発明にいう枠の上面の一例に相当する。
【００４５】
図３は、プリンタを、図１とは別の角度から示した外観斜視図である。
【００４６】
図３には、図２にも示した排出口２０ｂおよび排出ローラ５２が示されており、排出ローラ５２については、排出口２０ｂから見えている部分以外は点線で示されている。また、図３には、排出ローラ５２の回転軸５２１も示されている。さらに、図３には、筐体２の基部２ａの上に立ち上がり部２ｂと共に立ち上がり、かつ、この立ち上がり部２ｂに隣接した隣接部２ｃが示されており、この隣接部２ｃには、電源などが内蔵されている。図２にも示した第１カバー２１は、上部フレーム２０１（図２参照）の上面を、隣接部２ｃ側から操作表示装置３側まで覆っている。また、図１にも示した第２カバー２２は、側部フレーム２０２（図４参照）を基部２ａ側から操作表示装置３側まで覆っている。
【００４７】
この図３に示すように、筐体２の立ち上がり部２ｂには排出口２０ｂが形成され、その排出口２０ｂの直ぐ内側には排出ローラ５２が収容されている。このように立ち上がり部２ｂの内部には部品が詰まっている。このため、詳細は後述するが、操作表示装置３の固定方法に工夫が施されている。
【００４８】
図４は、プリンタの、図２とは異なる方向の断面図である。
【００４９】
図４には、図１に示される一点鎖線に沿った断面を矢印Ｙ方向に見た状態が示されている。ただし、この図４では、図１に示す操作表示装置３の構成要素である操作表示部３０と取付部材３１とのうち操作表示部３０は取り外された状態が示されている。
【００５０】
図４には、上部フレーム２０１、側部フレーム２０２、および傾斜板部２００が示されている。これら上部フレーム２０１、側部フレーム２０２、および傾斜板部２００は、このプリンタ１の筐体２の骨組みであるフレームの構成要素であり、このフレームは、上述したように、本発明にいう枠の一例に相当する。
【００５１】
傾斜板部２００は、斜めに配設されてフレームの内外を仕切っており、上部フレーム２０１の表面と側部フレーム２０２の表面との双方に対して傾斜した斜面２０００を表面に有している。この傾斜板部２００が、本発明にいう枠の板状部分の一例に相当し、この斜面２０００が、本発明にいう枠の斜面および板状部分の表面の一例に相当する。
【００５２】
上部フレーム２０１の表面は、前述したように第１カバー２１によって覆われている。一方、側部フレーム２０２の表面は、第２カバー２２によって覆われている。側部フレーム２０２の表面が、本発明にいう枠の側面の一例に相当する。
【００５３】
傾斜板部２００は、上端側が上部フレーム２０１と繋がっており、下端側が側部フレーム２０２と繋がっている。尚、図４には、傾斜板部２００の上端側と上部フレーム２０１とが分断されて示されている。ただし、これらは部分的に分断されているにすぎず、図１に示される一点鎖線とは異なる箇所で繋がっている。
【００５４】
取付部材３１は、中央部分に開口３１ｂ（図５を合わせて参照）が形成された基礎部３１０を有している。取付部材３１が傾斜板部２００の斜面２０００に取付けられた状態では、この基礎部３１０は、斜面２０００との間に隙間を空けてこの斜面２０００に対向し、この斜面２０００に沿って広がっている。この基礎部３１０が、本発明にいう対向部の一例に相当する。
【００５５】
また、傾斜板部２００には、斜面２０００から内面２００１にまで貫通した貫通孔２００ａ（図５参照）が設けられている。この貫通孔２００ａが、本発明にいう貫通孔の一例に相当する。
【００５６】
また、取付部材３１は、折れ曲り部３１１を有している。この折れ曲り部３１１は、垂直部分３１１１と先端部分３１１２とを有している。
【００５７】
垂直部分３１１１は、基礎部３１０から傾斜板部２００の貫通孔２００ａに向かって突き出た、基礎部３１０に対して垂直な部分である。また、先端部分３１１２は、垂直部分３１１１から傾斜板部２００の傾斜を登る方向に向かって、傾斜板部２００の内面２００１に沿って延びた部分である。つまり、折れ曲り部３１１は、垂直部分３１１１と先端部分３１１２との間で折れ曲がった構造を有している。
【００５８】
また、取付部材３１は、図４の紙面に垂直な方向に延びた壁である第１立壁部３１３を有している。この第１立壁部３１３は、後述する図６に示されているように、折れ曲り部３１１の垂直部分３１１１の両脇から、図４に示す傾斜板部２００の傾斜方向と交わる方向に延びた壁である。この第１立壁部３１３が、本発明にいう壁の一例に相当する。
【００５９】
取付部材３１が傾斜板部２００に取付けられた状態では、折れ曲り部３１１の先端部分３１１２とこの第１立壁部３１３との間に傾斜板部２００が挟まれた状態となる。また、折れ曲り部３１１の先端部分３１１２は、傾斜板部２００の内面２００１に対面した表面部分（以下では、この表面部分を腹３１１２ａと称する。）と、その腹３１１２ａのさらに先端に傾斜板部２００の内面２００１から斜めに開いた表面部分（以下では、傾斜面３１１２ｂと称する。図８を合わせて参照）を有する。この腹３１１２ａの範囲については、後で図８を参照して詳述する。この折れ曲り部３１１の先端部分３１１２が傾斜板部２００に引っ掛けられ、その先端部分３１１２のうちの腹３１１２ａにより、基礎部３１０の、斜面２０００からの離間が規制される。この腹３１１２ａが、本発明にいう対面部分の一例に相当する。
この折れ曲り部３１１が、本発明にいう折れ曲り部の一例に相当する。
【００６０】
また、取付部材３１は、基礎部３１０の下端側に固定部３１２を有している。この固定部３１２は、基礎部３１０から突き出して側部フレーム２０２の表面に接し、側部フレーム２０２に留めネジ５００によってネジ留めされている。この固定部３１２が、本発明にいう固定部の一例に相当する。
【００６１】
ところで、傾斜板部２００の内面側には、記録媒体を媒体置きカバー２０の上へ排出する排出ローラ５２の回転軸５２１が近接して配置されている。このため、取付部材３１を傾斜板部２００に取り付ける際には、傾斜板部２００の内側で作業を行うことは困難である。
【００６２】
そこで、このプリンタ１では、以下に説明するようにして、傾斜板部２００への取付部材３１の取付けが外部から行われる。
【００６３】
図５は、操作表示装置を構成する操作表示部と取付部材を分解して傾斜板部とともに示した分解斜視図である。
【００６４】
図５には、傾斜板部２００に設けられた貫通孔２００ａが示されている。この貫通孔２００ａは、傾斜板部２００に２つ設けられている。
【００６５】
また、傾斜板部２００の、２つの貫通孔２００ａの間には、切欠き２００ｂが設けられている。この切欠２００ｂは、筐体２の内部の画像形成部４（図２参照）と操作表示部３０とを繋ぐ通信線を通すためのものである。取付部材３１の基礎部３１０に設けられた開口３１ｂも、この通信線を通すためのものである。図示は省略するが、通信線の先にはコネクタが備えられており、操作表示部３０の裏面には、この通信線を操作表示部３０に接続するためのコネクタが備えられている。通信線は、切欠２００ｂから引き出された後、一旦、側部フレーム２０２側へと延ばされ、側部フレーム２０２の表面に沿って折り返して開口３１ｂ側に戻ってくる。そして、開口３１ｂに通信線が通されて、操作表示部側のコネクタに対する通信線側のコネクタの位置合わせが行われている。
【００６６】
また、図５には、取付部材３１の折れ曲り部３１１を型で成形するための型抜き孔３１ａが示されている。
【００６７】
また、取付部材３１に設けられた固定部３１２の、側部フレーム２０２に接する部分には、留めネジ５００によるネジ留め用の留め孔３１２ａが設けられている。また、側部フレーム２０２には、留めネジ５００がネジ込まれるネジ孔２０２ａが設けられている。
【００６８】
操作表示装置３の傾斜板部２００への取付けは、以下のように行われる。
【００６９】
まず、取付部材３１に操作表示部３０をネジ留めする。このネジ留めは、取付部材３１側から操作表示装置３の内部で行なわれる。次に、通信線のコネクタを切欠２００ｂから引き出す。そして、通信線を側面フレーム２０２の表面で折り返すと共に、通信線のコネクタを操作表示部３０の裏面のコネクタに接続する。次に、取付部材３１の折れ曲り部３１１(図４参照)が上、固定部３１２が下になる向きにし、基礎部３１０が傾斜板部２００の斜面２０００に沿う傾きで取付部材３１を傾斜板部２００上に配置する。そして、折れ曲り部３１１(図４参照)の先端部分３１１２を貫通孔２００ａに差し込み、傾斜板部２００の傾斜に沿って斜面２０００を登る方向に取付部材３１をスライドさせて、この折れ曲り部３１１の先端部分３１１２と第１立壁部３１３とで傾斜板部２００を挟む。最後に、留めネジ５００で固定部３１２を側部フレーム２０２に固定する。以上の手順で、操作表示装置３は傾斜板部２００に取付けられる。
【００７０】
上記の説明の通り、このプリンタ１では、取付部材３１は、上部を貫通孔２００ａに引っ掛けて、下部のみネジ留めとするだけで傾斜板部２００の斜面２０００に固定されるので、操作表示装置３の取付けは、傾斜板部２００の外側から容易に行われる。
【００７１】
ここで、再び図４に戻って説明を続ける。
【００７２】
第１カバー２１は、上述したように、上部フレーム２０１の上面を隣接部２ｃ側（図３参照）から操作表示装置３側まで覆っている。そして図４には、隣接部２ｃ側と操作表示装置３側とのうち操作表示装置３側の詳細構造が示されている。以下、第１カバー２１の操作表示装置３側のことを傾斜板部側とも称する。
【００７３】
また、第１カバー２１は、嵌め込み部２１３を有している。この嵌め込み部２１３は、この第１カバー２１で上部フレーム２０１の上面を覆う際に、前述した、傾斜板部２００の上端側と上部フレーム２０１とが部分的に分断されている分断部分２０１ａに嵌め込まれる。また、この第１カバー２１には、この図４に示された操作表示装置３側（すなわち傾斜板部側）とは反対側、すなわち、隣接部２ｃ（図３参照）側にネジ留め用の孔が設けられている。第１カバー２１は、分断部分２０１ａに嵌め込み部２１３が嵌め込まれ、隣接部２ｃ側がネジ留めされて上部フレーム２０１に固定されている。
【００７４】
取付部材３１は、基礎部３１０の、傾斜板部２００の斜面方向上側に廂部３２１を有している。また、第１カバー２１は、隣接部２ｃ側と傾斜板部側とのうちの傾斜板部側の端部に突出部２１１を有している。この突出部２１１は、嵌め込み部２１３の上方に位置している。
【００７５】
取付部材３１の廂部３２１は第１カバー側に突出して突出部２１１の上に広がり、突出部２１１は、取付部材３１に向かって突出している。また、傾斜板部２００の斜面方向に見て廂部３２１と突出部２１１とが重なっている。その結果、廂部３２１および突出部２１１は、共同して、傾斜板部２００と取付部材３１との隙間を隠している。この廂部３２１が、本発明にいう隠蔽部の一例に相当する。
【００７６】
また、取付部材３１は、基礎部３１０の、傾斜板部２００の斜面方向下側に支持部３２２を有している。支持部３２２は、固定部３１２よりも側部フレーム２０２の表面から離れた位置に設けられており、基礎部３１０から垂下している。この支持部３２２は、本発明にいう支持部の一例に相当する。
【００７７】
このプリンタ１では、美観向上の観点から、第２カバー２２により、側部フレーム２０２の一部と固定部３１２が覆われている。
【００７８】
第２カバー２２の下端２２２には、ネジ留め用の孔が設けられており、この下端２２２は、留めネジ６００によって側部フレーム２０２にネジ留めされる。一方、第２カバー２２の上端２２１は、下端２２２が側部フレーム２０２にネジ留めされた状態では固定部３１２と支持部３２２との間に嵌まり込んで支持部３２２に引っ掛かって支持された状態になる。第２カバー２２の側部フレーム２０２への取り付けは、まず、第２カバー２２の上端２２１を固定部３１２と支持部３２２との間に入れて支持部３２２に引っ掛け、その後、第２カバー２２の下端２２２を側部フレーム２０２にネジ留めして行われる。これにより、第２カバー２２の上端２２１は、側部フレーム２０２から離れようにも支持部３２２に引っ掛かって離れられず、この第２カバー２２の上端２２１は支持部３２２によって支持された状態となる。つまり、このプリンタ１では、第２カバー２２は、上端２２１を支持部３２２に引っ掛けて、下端２２２のみネジ留めとするだけで側部フレーム２０２に固定されるので、第２カバー２２の取り付けは容易である。
【００７９】
また、取付部材３１は、折れ曲り部３１１と固定部３１２との間に並ぶ複数の小片部３１６を有している。小片部３１６は、基礎部３１０から傾斜板部２００の斜面２０００に向かって突き出して斜面２０００に対面した、図４の紙面に垂直な方向に広がる板状の小片である（図６を合わせて参照）。
【００８０】
さらに、取付部材３１は、第１立壁部３１３と廂部３２１との間に第２立壁部３１４を有している。第２立壁部３１４も、基礎部３１０から傾斜板部２００の斜面２０００に向かって突き出して斜面２０００に対面した板状のものである。ただし、この第２立壁部３１４は、図６から明らかなように、図４の紙面に沿う傾斜方向に延びている。
【００８１】
これら小片部３１６は、本発明にいう突出体の一例に相当し、折れ曲がり部３１１から固定部３１２に至る途中に配備されている。この配備箇所は、取付部材３１が保持する操作表示部３０（図５参照）が操作を受ける箇所の裏側に相当する。このため、小片部３１６は、操作表示部３０を介して基礎部３１０が撓むほどの圧力を受けた場合に、傾斜板部２００の斜面２０００に接触することでこの撓みを規制する。
【００８２】
図６は、取付部材の外観斜視図である。
【００８３】
図６には、取付部材３１の、操作表示部３０を保持する側とは反対側、すなわち傾斜板部２００と対向する側が示されている。
【００８４】
上述した固定部３１２は、基礎部３１０の中央部分に設けられた開口３１ｂの周囲のうち図６の下方側の部分に設けられている。また、開口３１ｂを挟み固定部３１２の反対側の部分に折れ曲り部３１１が設けられている。さらに、折れ曲り部３１１の垂直部分３１１１の両脇には、上述したように第１立壁部３１３が設けられている。この第１立壁部３１３は、垂直部分３１１１の両脇からそれぞれ、傾斜方向（Ｘ方向）と交わるＹ方向に広がっている。
【００８５】
また、図６には、図５にも示した型抜き孔３１ａが示されており、この型抜き孔３１ａは、基礎部３１０の、折れ曲り部３１１の先端部分３１１２と対向する部分にあいている。第２立壁部３１４は２対（合計４つ）設けられており、各型抜き孔３１ａを各対の間に挟み互いに向かい合って矢印Ｘ方向に広がっている。小片部３１６は、開口３１ｂの縁にＸ方向に並べて設けられている。
【００８６】
さらに、図６には、挟込部３１５が示されている。この挟込部３１５は、開口３１ｂを１対で挟んで互いに向かい合い、矢印Ｘ方向に延びた形状を有している。
【００８７】
挟込部３１５は、図７を参照して再度説明するが、取付部材３１が傾斜板部２００に取付けられている状態で、基礎部３１０から突き出し斜面２０００の傾斜方向に延びて斜面２０００を両脇から挟み込む。この挟込部３１５が、本発明にいう挟込体の一例に相当する。
【００８８】
また、図６には、これら挟込部３１５、第２立壁部３１４、および固定部３１２よりも外側に周囲壁３２０が示されている。
【００８９】
周囲壁３２０は、前述した、廂部３２１および支持部３２２のほかに、内壁部３２３と外壁部３２４とを構成要素としている。
【００９０】
廂部３２１は、周囲壁３２０のうちの、第１カバー２１側の、Ｙ方向に延びた直線部分である。前述の通り、この廂部３２１は、取付部材３１の底面側を覆すためのものである。また、支持部３２２は、周囲壁３２０のうちの、第２カバー２２寄りの、固定部３１２よりも外側に設けられた直線部分である。この支持部３２２は、第２カバー２１を引っ掛けるためのものである。
【００９１】
外壁部３２４は、図６における右側に示される、廂部３２１と支持部３２２とを繋ぐ壁状の部分であり、取付部材３１が傾斜板部２００に取付けられた状態においては上部点検蓋２３などが備えられた側に位置する。
【００９２】
内壁部３２３は、図６における左側に示される、廂部３２１と支持部３２２とを繋ぐ壁状の部分であり、それらのつなぎ目部分の曲率が外壁部３２４よりも大きい。この、内壁部３２３は、取付部材３１が傾斜板部２００に取付けられた状態においては排出口２０ｂ（図２参照）が備えられた側に位置する。
【００９３】
これら外壁部３２４および内壁部３２３は、それぞれが向き合う挟込部３１５との間で、図１に示す第１カバー２１や第２カバー２２に隣接する他のカバーの縁を挟み込むためのものである。つなぎ目部分の曲率の相違は、隣接する他のカバーの形状の相違に合わせたものである
図７は、傾斜板部の上に配置された状態の取付部材を示す図である。尚、図７では、説明の便宜上、取付部材３１の基礎部３１０（図６参照）の図示を省略している。
【００９４】
図７には、基礎部３１０を除く取付部材３１が配置された傾斜板部２００を表面側から見た状態が示されている。ここでは、傾斜板部２００を斜線を付して示してある。
【００９５】
図７には、周囲壁３２０(図６参照)の構成要素である、廂部３２１、外壁部３２４、および内壁部３２３が示されている。
【００９６】
また、図７には、外壁部３２４および内壁部３２３それぞれと対向して上下方向に延びる挟込部３１５が示されている。この挟込部３１５は、傾斜板部２００に向かって突き出て傾斜板部２００を左右から挟み込んでいる。
【００９７】
また、図７には、廂部３２１から図７の下方に延びた第２立壁部３１４が示されている。
【００９８】
取付部材３１に対し、図７の右側から左向きの荷重がかかると、図７の右側に示される挟込部３１５がこの荷重に対抗する。また、この取付部材３１に対し、図７の左側から右向きの荷重がかかると、図７の左側に示される挟込部３１５がこの荷重に対抗する。
【００９９】
また、図７には、貫通孔２００ａに入り込んでいる折れ曲り部３１１が示されている。折れ曲り部３１１の先端部分３１１２は、傾斜板部２００の斜面２０００に取付部材３１が配置された状態においては傾斜板部２００の内面側に回り込んでいる。
【０１００】
また、図７には、折れ曲り部３１１の垂直部分３１１１の両脇から、傾斜面２０００の傾斜方向を横切る方向に広がった壁である第１立壁部３１３が示されている。第１立壁部３１３は、図７に示すように、貫通孔２００ａの傾斜方向上側の縁に沿って図７の左右方向に広がっている。折れ曲がり部３１１の垂直部分３１１１は、傾斜方向上側から異物がまっすぐ落ちてきたときに貫通孔２００ａへの異物の侵入を防ぐ。また、貫通孔２００ａは、折れ曲がり部３１１を貫通させるために縦長となっているが、第１立壁部３１３は、貫通孔２００ａの左右の縁２０００ａへ異物が回り込んで落下することを防ぐ。
【０１０１】
また、図７には、小片部３１６が示されており、この小片部３１６は、折れ曲り部３１１から固定部３１２に至る途中の、挟込部３１５の内側に設けられている。小片部３１６は、不図示の基礎部側から傾斜板部２００の斜面２０００に向かって突き出て、斜面２０００に対面している。
【０１０２】
また、前述したように、取付部材３１が保持した操作表示部３０（図５参照）に基礎部３１０が撓むほどの圧力を受けた場合、第２立壁部３１４および小片部３１６が傾斜板部２００の斜面２０００に接触することでこの撓みを規制する。また、この取付部材３１を傾斜板部２００から離間させる荷重がかかると、折れ曲り部３１１の先端部分３１１２の腹３１１２ａ（図８参照）と傾斜板部２００の内面とが接して、その離間を防止する。
【０１０３】
図８は、図４の部分拡大図である。ここでは、この図８を参照しながら、各部の寸法上の細部について説明する。
【０１０４】
第１立壁部３１３は、折れ曲り部３１１の先端部分３１１２の腹３１１２ａとの隙間で傾斜板部２００を挟む。この隙間は、この取付部材３１を傾斜板部２００に接離させる方向のガタつきに影響を与える。すなわち、隙間が大きいとガタつきも大きい。このため、この腹３１１２ａと第１立壁部３１３との隙間の設計寸法は、このガタつきを抑えるために、傾斜板部２００の厚みよりも製造上のばらつきを考慮した分だけわずかに広く設定されている。この腹３１１２ａと第１立壁部３１３との隙間が狭いと、上述した異物の落下防止の機能も向上する。
【０１０５】
また、第１立壁部３１３と、第２立壁部３１４や小片部３１６とでは、傾斜板部２００の斜面２０００までの距離を比較すると、第２立壁部３１４や小片部３１６の方が第１立壁部３１３よりも広い。第２立壁部３１４や小片部３１６が第１立壁部３１３よりも斜面２０００に近いと、製造上のばらつきや歪みなどで第２立壁部３１４や小片部３１６の一部が斜面２０００に不用意に接触し取付部材３１が取付不能になったり、取付部材３１に無用な力が加わった状態のまま取り付けられてしまうおそれがあるからである。一方、第２立壁部３１４や小片部３１６は、基礎部３１０の撓みを規制するためのものであり、何らの力も作用しない状態において第２立壁部３１４や小片部３１６が斜面２０００から多少離れていても撓みの規制の目的には十分だからである。
【０１０６】
図８に示す例では、側面フレーム２０２へ固定部３１２が固定される際に、基礎部３１０を傾斜面２０００に押し付ける向きのモーメントが発生するものとする。この例では、その様なモーメントが発生した結果、基礎部３１０の第１立壁部３１３が傾斜面２０００に接触している。この様に、第１立壁部３１３が傾斜面２０００に接触していると、第１立壁部３１３と傾斜面２０００との間に隙間が生じている場合と比べて、貫通孔２００ａへの異物の落下がより一層防止される。
【０１０７】
ここで、折れ曲り部３１１の先端部分３１１２が有する腹３１１２ａの範囲について詳述する。この腹３１１２ａの先端側は、傾斜面３１１２ｂとの境目まで至っている。そして、腹３１１２ａの根元側は、貫通孔２００ａの縁まで至っている。つまり、先端部分３１１２は、この範囲内で傾斜板部２００の内面と対面していることになる。図８には、この腹３１１２ａの傾斜方向の長さが長さＡで示されている。
【０１０８】
また、図８には、取付部材３１の廂部３２１と第１カバー２１の突出部２１１との間の傾斜板部２００の傾斜方向の間隔が間隔Ｂで示されている。以下説明するように、間隔Ｂは長さＡよりも大きい。
【０１０９】
取付部材３１１の傾斜板部２００へ取付け、取外しは、上部フレーム２００に第１カバーが取り付けられている状態で行なわれる。これを実現するために、折れ曲り部３１１の先端部分３１１２を貫通孔２００ａに挿入する際、および、その先端部分３１１２を貫通孔２００ａから抜き取る際に、廂部３１２と突出部２１１とが干渉しないよう、長さＡよりも間隔Ｂの方が大きな寸法となっている。
【０１１０】
また、第１カバー２１は、突出部２１１よりも立ち上がった立ち上がり壁２１２を有している。そして、廂部３２１は、突出部２１１よりも上部において立ち上がり壁２１２に向かって広がっている。
【０１１１】
前述のように、この廂部３２１とこの突出部２１１とが共同することにより、傾斜板部２００と取付部材３１との隙間が隠されており、さらには、この立ち上がり壁２１２により、廂部３２１と突出部２１１との段差も隠されている。つまり、廂部３２１と立ち上がり壁２１２とが共同することにより、傾斜板部２００の斜面方向以外から見ても傾斜板部２００と取付部材３１との隙間が確実に隠されている。
【０１１２】
また、折れ曲り部３１１は、前述の通り、その先端部分３１１２に、腹３１１２ａに連なり、基礎部３１０から徐々に離間する傾斜面３１１２ｂを有している。この傾斜面３１１２ｂを有していることで、折れ曲り部３１１が貫通孔２００ａを貫通した取付部材３１を傾斜板部２００の斜面に沿ってその傾斜を登る方向にスライドさせた際の傾斜板部２００の挟み込みが円滑に行われる。
【０１１３】
図９は、筐体に対する、第１カバー、取付部材、および第２カバーの取付順序を示す図である。
【０１１４】
ステップＳ１では、上部フレームに第１カバーを取り付ける。この取付けは、図４を参照して説明したように、第１カバー２１の嵌め込み部２１３を分断部分２０１ａに嵌め込み、嵌め込み部２１３とは反対側を上部フレーム２０１にネジ留めして行われる。
【０１１５】
ステップＳ２では、図５を参照して説明したように、通信線のコネクタが接続された操作表示部３０をネジ留めにより保持した取付部材３１の折れ曲り部３１１(図４参照)の先端部分３１１２を貫通孔２００ａに差し込み、傾斜板部２００の傾斜に沿って斜面２０００を登る方向に取付部材３１をスライドさせて、折れ曲り部３１１（図４参照）の先端部分３１１２と第１立壁部３１３とで傾斜板部２００を挟みこませる。これにより、操作表示装置３を傾斜板部２００の斜面２０００に配置する。前述したように、取付部材３１の廂部３２１と第１カバー２１の突出部２１１との間の傾斜板部２００の傾斜方向の間隔Ｂは、折れ曲り部３１１の腹３１１２ａの、傾斜板部２００の傾斜方向の長さＡよりも広い。このため、廂部３２１と突出部２１１が干渉することなく、取付部材３１は傾斜板部２００の斜面２０００に配置される。尚、間隔Ｂが長さＡよりも広いため、斜面２０００から取付部材３１を取り外す場合にも、廂部３２１と突出部２１１は干渉しない。
【０１１６】
ステップＳ３では、取付部材３１の固定部３１２を側部フレーム２０２にネジ留めする。これにより、傾斜板部２００への操作表示装置３の取付けは完了するが、上部を貫通孔２００ａに引っ掛けて、下部のみネジ留めとするだけで傾斜板部２００の斜面２０００に固定されるので、取り付けが容易である。
【０１１７】
ステップＳ４では、図４を参照して説明したように、第２カバー２２の上端２２１を取付部材３１の支持部３２２に引っ掛けて下端２２２を側部フレーム２０２にネジ留めする。このような容易な作業で側部フレーム２０２への第２カバー２２の取り付けが完了する。これらステップＳ１からステップＳ４までの組立方法が、本発明の機器組立方法の一実施形態である。
【０１１８】
尚、上述の実施形態では、本発明にいう突出体の一例として、折れ曲り部から固定部に至る途中に設けられＹ方向に延びる小片部３１６を示したが、本発明にいう突出体は、折れ曲り部から固定部に至る途中に設けられ、対向部から斜面に向かって突き出して斜面に対面していればよく、例えば、折れ曲り部から固定部に至る途中に設けられ、Ｘ方向に延びる壁であってもよい。
【０１１９】
また、上述の実施形態では、本発明にいう支持部の一例として、基礎部３１０から垂下した支持部３２２を示したが、本発明にいう支持部は、対向部の側面寄りであって固定部よりもこの側面から離れた位置で第２の覆い部材の上端を支持していればよく、例えば、対向部に設けられた凹部であって、この凹部が第２の覆い部材の上端を支持するものであってもよい。
【０１２０】
また、上述の実施形態では、本発明にいう固定用部品の一例として留めネジを示したが、本発明にいう固定用部品は、固定部を側面に固定する部品であればよく、例えば、プラスチックリベットであってもよい。
【０１２１】
また、以上の実施形態では、本発明にいう画像形成装置の一例としてプリンタを示したが、本発明にいう画像形成装置はプリンタに限られず、例えば、画像読み取り装置で読み取られたデータに基づいて画像を形成する複写機やファクシミリであってもよい。
【０１２２】
また、本発明の機器は、画像形成装置には限られず、枠（フレーム）の一部の傾斜面に取付体を取り付ける機器一般に適用可能である。
【符号の説明】
【０１２３】
１  プリンタ
２  筐体
２ａ  基部
２ｂ  立ち上がり部
２ｃ  隣接部
２０  媒体置きカバー
２００  傾斜板部
２０００  斜面
２００１  内面
２０１  上部フレーム
２０２  側部フレーム
２１  第１カバー
２１１  突出部
２１２  立ち上がり壁
２２  第２カバー
３  操作表示装置
３０  操作表示部
３１  取付部材
３１０  基礎部
３１１  折れ曲り部
３１１１  垂直部分
３１１２  先端部分
３１２  固定部
３１３  第１立壁部
３１４  第２立壁部
３１５  挟込部
３１６  小片部
３２０  周囲壁
３２１  廂部
３２２  支持部
３２３  内壁部
３２４  外壁部
【図１】
0005609510.tif 000002
【図２】
0005609510.tif 000003
【図３】
0005609510.tif 000004
【図４】
0005609510.tif 000005
【図５】
0005609510.tif 000006
【図６】
0005609510.tif 000007
【図７】
0005609510.tif 000008
【図８】
0005609510.tif 000009
【図９】
0005609510.tif 000010